(57)【要約】【課題】  原稿の種類に応じたメニュー操作を容易に行うことを可能とする。【解決手段】  撮像部８０１は、原稿を撮像手段により撮像し、前記原稿の画像データを生成する。画像認識部８０２は、撮像部８０１により生成された画像データに基づいて、原稿の種類を認識する。表示画像生成部８０３は、画像認識部８０２段による認識結果に基づいて、原稿の種類に対応する操作メニュー画面の画像データを生成する。【選択図】  図２
2009010511.tif 000002
【特許請求の範囲】
【請求項１】
原稿を撮像手段により撮像し、前記原稿の画像データを生成する画像データ生成手段と、
前記画像データ生成手段により生成された画像データに基づいて、前記原稿の種類を認識する認識手段と、
前記認識手段による認識結果に基づいて、前記原稿の種類に対応する操作メニュー画面の画像データを生成するメニュー画面生成手段とを有することを特徴とするメニュー画面生成装置。
【請求項２】
前記原稿は、複写対象となる原稿であり、前記操作メニュー画面は、前記原稿を複写する際に使用される操作メニュー画面であることを特徴とする請求項１に記載のメニュー画面生成装置。
【請求項３】
前記撮像手段は、前記原稿を異なる角度から撮像可能なように複数配置されることを特徴とする請求項１又は２に記載のメニュー画面生成装置。
【請求項４】
前記認識手段は、予め設定される複数の原稿の種類の候補毎に前記原稿の画像データの認識率を算出し、最も高い認識率が算出された候補を前記原稿の種類として決定することを特徴とする請求項１乃至３の何れか１項に記載のメニュー画面生成装置。
【請求項５】
前記メニュー画面生成手段は、前記原稿の種類に対応したサブメニューに関する情報を、トップメニュー画面内に追加した前記操作メニュー画面の画像データを生成することを特徴とする請求項１乃至４の何れか１項に記載のメニュー画面生成装置。
【請求項６】
メニュー画面生成装置によるメニュー画面生成方法であって、
原稿を撮像手段により撮像し、前記原稿の画像データを生成する画像データ生成ステップと、
前記画像データ生成ステップにより生成された画像データに基づいて、前記原稿の種類を認識する認識ステップと、
前記認識ステップによる認識結果に基づいて、前記原稿の種類に対応する操作メニュー画面の画像データを生成するメニュー画面生成ステップとを含むことを特徴とするメニュー画面生成方法。
【請求項７】
原稿を撮像手段により撮像し、前記原稿の画像データを生成する画像データ生成ステップと、
前記画像データ生成ステップにより生成された画像データに基づいて、前記原稿の種類を認識する認識ステップと、
前記認識ステップによる認識結果に基づいて、前記原稿の種類に対応する操作メニュー画面の画像データを生成するメニュー画面生成ステップとをコンピュータに実行させるためのプログラム。
【発明の詳細な説明】
【技術分野】
【０００１】
本発明は、原稿の種類に応じた操作メニュー画面を生成する技術に関するものである。
【背景技術】
【０００２】
従来、印刷設定を行う補助機能としては、ユーザ認識による表示変更を実行するもの（例えば、特許文献１参照）や周辺機器の接続状況に応じた表示変更を実行するもの（例えば、特許文献２参照）が一般的であった。また、原稿を認識して自動的に印刷設定を行うような技術も存在する（例えば、特許文献３参照）。
【０００３】
【特許文献１】特開２００３−１０１６９２号公報
【特許文献２】特開平１１−２４０２２９号公報
【特許文献３】特開２００４−１９３６７４号公報
【発明の開示】
【発明が解決しようとする課題】
【０００４】
しかしながら、上述の特許文献１に開示されるようなユーザ認識による表示変更や、特許文献２に開示されるような周辺機器の状況に応じた表示変更では、必ずしも原稿に適した印刷機能の設定メニューが解りやすい場所に表示されるわけでない。そのため原稿に適した印刷機能が設定できることに気づかないことがある。
【０００５】
また、原稿に適した印刷機能の存在を知っていても、それを設定する設定メニューがメニューツリーの階層の深いところにあったり、メニューツリーの複数の場所に点在していたりするために、原稿に適した印刷機能の設定を行うことが不便という問題があった。
【０００６】
そこで、本発明の目的は、原稿の種類に応じたメニュー操作を容易に行うことを可能とすることにある。
【課題を解決するための手段】
【０００７】
本発明のメニュー画面生成装置は、原稿を撮像手段により撮像し、前記原稿の画像データを生成する画像データ生成手段と、前記画像データ生成手段により生成された画像データに基づいて、前記原稿の種類を認識する認識手段と、前記認識手段による認識結果に基づいて、前記原稿の種類に対応する操作メニュー画面の画像データを生成するメニュー画面生成手段とを有することを特徴とする。
本発明のメニュー画面生成方法は、メニュー画面生成装置によるメニュー画面生成方法であって、原稿を撮像手段により撮像し、前記原稿の画像データを生成する画像データ生成ステップと、前記画像データ生成ステップにより生成された画像データに基づいて、前記原稿の種類を認識する認識ステップと、前記認識ステップによる認識結果に基づいて、前記原稿の種類に対応する操作メニュー画面の画像データを生成するメニュー画面生成ステップとを含むことを特徴とする。
本発明のプログラムは、原稿を撮像手段により撮像し、前記原稿の画像データを生成する画像データ生成ステップと、前記画像データ生成ステップにより生成された画像データに基づいて、前記原稿の種類を認識する認識ステップと、前記認識ステップによる認識結果に基づいて、前記原稿の種類に対応する操作メニュー画面の画像データを生成するメニュー画面生成ステップとをコンピュータに実行させることを特徴とする。
【発明の効果】
【０００８】
本発明においては、原稿の種類を認識し、原稿の種類に対応する操作メニュー画面の画像データを生成するように構成している。従って、本発明によれば、原稿の種類に応じたメニュー操作を容易に行うことが可能となる。
【発明を実施するための最良の形態】
【０００９】
以下、本発明を適用した好適な実施形態を、添付図面を参照しながら詳細に説明する。
【００１０】
図１は、本発明の実施形態に係る利用者補助機能付き画像形成装置とその利用者とを示す図である。図１において、２０１は、利用者補助機能付き画像形成装置（以下、単に画像形成装置と称す）である。２０２は、原稿撮影用カメラである。２０３は、原稿である。２０４は、利用者である。２０５は、操作パネルである。
【００１１】
なお、図１において、原稿撮影用カメラ２０２が画像形成装置２０１の外部に構成されているが、画像形成装置２０１の内外に複数の原稿撮影手段を備える等、適宜適切な構成を選択し得ることは勿論である。例えば、原稿を異なる角度から撮像可能なように複数の原稿撮影用カメラを配置してもよい。このようにすることで、撮影対象の原稿の種類の認識精度を向上させることが可能になる。
【００１２】
図２は、画像形成装置２０１の機能的な構成を示すブロック図である。図２において、８０１は、原稿２０３を原稿撮影用カメラ２０２で撮影し、画像データを生成する撮像部である。８０２は、撮像部８０１によって生成された画像データを解析し、原稿２０３の種類を認識する画像認識部である。８０３は、画像認識部８０２による認識結果、即ち認識された原稿の種類に応じて、原稿を複写する際に使用される操作パネル２０５上の操作メニュー画面の表示画像データを生成する表示画像生成部である。８０４は、表示画像生成部８０３によって生成された表示画像データを操作パネル２０５に表示させる表示部である。なお、原稿撮影用カメラ２０２は、本発明の撮像手段の一構成例である。撮像部８０１は、本発明の画像データ生成手段の一構成例である。画像認識部８０２は、本発明の認識手段の一構成例である。表示画像生成部８０３は、本発明のメニュー画面生成手段の一構成例である。
【００１３】
図２に示す各構成は、画像形成装置２０１内における不図示のＣＰＵがＲＯＭに格納されるプログラムを実行することにより実現する機能的な構成である。
【００１４】
図３は、画像形成装置２０１の処理の流れを示すフローチャートである。図３において、撮像部８０１は、原稿撮影用カメラ２０２で原稿２０３を撮影し、原稿２０３の画像データを生成する（ステップＳ１０１）。次に、画像認識部８０２は、撮像部８０１によって生成された画像データを解析し、原稿２０３の種類を認識する（ステップＳ１０２）。この原稿２０３の種類の認識においては、予め原稿２０３の種類の候補をいくつか記憶しており、候補毎に認識率を算出し、最も高い認識率が算出された候補を原稿の種類として決定している。このようにすることで、複数の原稿の種類の候補のなかから正しく種類分類を行うことが可能になる。
【００１５】
ステップＳ１０２にて原稿２０３の種類が書籍であると判定された場合、表示画像生成部８０３は、書籍用の操作メニュー画面の表示画像データを生成し、操作パネル２０５に表示させる準備を行う（ステップＳ１０３）。
【００１６】
ステップＳ１０２にて原稿２０３の種類が両面原稿であると判定された場合、表示画像生成部８０３は、両面画像用の操作メニュー画面の表示画像データを生成し、操作パネル２０５に表示させる準備を行う（ステップＳ１０４）。
【００１７】
ステップＳ１０２にて原稿２０３の種類が写真であると判定された場合、表示画像生成部８０３は、写真用の操作メニュー画面の表示画像データを生成し、操作パネル２０５に表示させる準備を行う（ステップＳ１０５）。
【００１８】
なお、ステップＳ１０２にて原稿２０３の種類が書籍、両面画像及び写真のうちの何れでもないと判定された場合、ステップＳ１０３〜ステップＳ１０６に示す処理は実行されず、処理を終了する。
【００１９】
次に、表示部８０４は、表示画像生成部８０３によって生成された表示画像データを操作パネル２０５に表示させる（ステップＳ１０６）。これにより、操作パネル２０５にトップメニューが更新されて表示される。
【００２０】
図４は、画像認識部８０２によって原稿２０３が書籍と認識された場合の操作パネル２０５の構成例を示す図である。
【００２１】
図４において、３０２は、操作パネル２０５内に実装されるタッチパネル式の表示器である。３０３は、表示器３０２内に表示されるステータス表示ウインドウである。３０４は、表示器３０２内に表示されるページ連写両面設定メニューを選択するためのソフトキーである。３０５は、ブック枠消し設定メニューを選択するためのソフトキーである。３０６は、その他の応用モード一覧メニューを選択するためのソフトキーである。３０７は、両面設定メニューを選択するためのソフトキーである。３０８は、倍率設定メニューを選択するためのソフトキーである。３０９は、用紙設定メニューを選択するためのソフトキーである。
【００２２】
図５は、原稿２０３が書籍と認識された場合におけるメニューツリーの構造を示す図である。４０１は、トップメニューである。４０２は、両面設定メニューである。４０３は、倍率設定メニューである。４０４は、用紙設定メニューである。４０５は、応用モード一覧メニューである。４０６は、片面原稿を両面へコピーする設定を行うメニューである。４０７は、両面原稿を両面へコピーする設定を行うメニューである。４０８は、見開きページを連写して両面へコピーするページ連写両面設定メニューである。４０９は、ページ連写設定メニューである。４１０は、枠消し設定メニューである。４１１は、画像調整設定メニューである。４１２は、原稿枠消し設定メニューである。４１３は、ブック枠消し設定メニューである。４１４は、パンチ穴消し設定メニューである。
【００２３】
図５において、トップメニュー４０１にあるブック枠消し設定メニュー４１３と枠消し設定メニュー４１０にあるブック枠消し設定メニュー４１３とは同等のメニューである。同様に、トップメニュー４０１にあるページ連写両面設定メニュー４０８と両面設定メニュー４０２にあるページ連写両面設定メニュー４０８とは同等のメニューである。
【００２４】
図６は、画像認識部８０２によって原稿２０３が書籍、両面画像及び写真の何れでもない、その他の種類のものと判定された場合の操作パネル２０５の構成例を示す図である。
【００２５】
図６に示す操作パネル２０５の表示器３０２には、画像形成装置２０１のデフォルトのトップページが表示されている。図６と図４との違いは、書籍である原稿２０３に適したページ連写両面設定メニューを選択するためのソフトキー３０４とブック枠消し設定メニューを選択するためのソフトキー３０５とが、原稿の種類に対応したサブメニューに関する情報として図４のトップメニューに追加表示されている点である。このように、原稿２０３が書籍、両面画像及び写真以外の種類のものと判定された場合には、表示画像生成部８０３は、ソフトキー３０４、３０５が追加された表示画像データを生成する。
【００２６】
図７は、原稿２０３が書籍、両面画像及び写真の何れでもない、その他の種類のものと判定された場合におけるメニューツリーの構造を示す図である。図７に示すメニューツリーは、画像形成装置２０１のデフォルトのメニューツリーである。図７において、図５に示すメニューツリーとの違いは、トップメニュー４０１にブック枠消し設定メニュー４１３とページ連写両面設定メニュー４０８とがない点である。即ち、図５に示すメニューツリーには、図７に示すメニューツリーに対し、トップメニュー４０１にブック枠消し設定メニュー４１３とページ連写両面設定メニュー４０８とが追加されている。なお、表示画像生成部８０３は、図４や図６に示すトップメニューに関するデータだけでなく、図５や図７に示すメニューツリー構造を実現するような内容の表示画像データを生成することは勿論である。
【００２７】
図８は、原稿２０３の種類と追加される設定メニューの対応関係を示すテーブル構成図である。このテーブルは、画像形成装置２０１内の不図示のＲＯＭに格納され、同じく不図示のＣＰＵによって適宜参照されるものである。
【００２８】
既に説明したとおり、原稿２０３の種類が書類と判定された場合には、ページ連写両面設定メニューとブック枠消し設定メニューとがトップメニューに追加されることが示されている。また、原稿２０３の種類が両面と判定された場合には、両面原稿を両面へコピーする設定を行うメニュー４０７と片面原稿を両面へコピーする設定を行うメニュー４０６とがトップメニューに追加されることが示されている。また、原稿２０３の種類が写真と判定された場合には、図５や図７には不図示の印画紙写真設定メニュー、カラー調整設定メニュー及びイメージクリエイト設定メニューがトップメニューに追加されることが示されている。
【００２９】
表示画像生成部８０３は、画像認識部８０２によって判定された原稿２０３の種類に対応する追加設定メニューを図８に示すテーブルから認識し、認識した設定メニューをトップメニューに追加した表示画像データを生成する。つまり、図３のＳ１０３、Ｓ１０４、Ｓ１０５の各処理においては、図８に示されるテーブルを基にトップメニューに追加する設定メニューが認識され、認識された設定メニューを追加した表示画像データが生成される。
【００３０】
なお、本実施形態においては、認識される原稿の種類は書籍、両面原稿及び写真のみを対象として、原稿種類に応じてトップメニューを変更するような処理の例を挙げている。しかし、原稿の種類やその反映先は画像形成装置の用途に応じて適宜変更可能であることはいうまでもない。
【００３１】
以上のように、本実施形態においては、原稿の種類を認識し、原稿の種類に対応するトップメニューを生成して表示するように構成している。従って、本実施形態によれば、原稿の種類に応じたメニュー操作を容易に行うことが可能となる。よって、複写対象の原稿に適した印刷設定を行う際に設定漏れを防ぐだけでなく、設定のための利用者の手間を削減することが可能になる。
【００３２】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００３３】
また、本発明は、例えば、システム、装置、方法、プログラムもしくは記録媒体等としての実施形態も可能であり、具体的には、一つの機器からなる装置に適用してもよい。
【００３４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００３５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００３６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００３７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００３８】
【図１】本発明の実施形態に係る利用者補助機能付き画像形成装置とその利用者とを示す図である。
【図２】画像形成装置の機能的な構成を示すブロック図である。
【図３】画像形成装置の処理の流れを示すフローチャートである。
【図４】画像認識部によって原稿が書籍と認識された場合の操作パネルの構成例を示す図である。
【図５】原稿が書籍と認識された場合におけるメニューツリーの構造を示す図である。
【図６】画像認識部によって原稿が書籍、両面画像及び写真のうちの何れでもない、その他の種類のものと判定された場合の操作パネルの構成例を示す図である。
【図７】原稿が書籍、両面画像及び写真のうちの何れでもない、その他の種類のものと判定された場合におけるメニューツリーの構造を示す図である。
【図８】原稿の種類と追加される設定メニューの対応関係を示すテーブル構成図である。
【符号の説明】
【００３９】
２０１  画像形成装置
２０２  原稿撮影用カメラ
２０３  原稿
２０４  表示部
２０５  操作パネル
３０２  表示器
３０３  ステータス表示ウインドウ
３０４  ページ連写両面設定メニューを選択するためのソフトキー
３０５  ブック枠消し設定メニューを選択するためのソフトキー
３０６  応用モード一覧メニューを選択するためのソフトキー
３０７  両面設定メニューを選択するためのソフトキー
３０８  倍率設定メニューを選択するためのソフトキー
３０９  用紙設定メニューを選択するためのソフトキー
８０１  撮像部
８０２  画像認識部
８０３  表示画像生成部
８０４  表示部
【図１】
2009010511.tif 000003
【図２】
2009010511.tif 000004
【図３】
2009010511.tif 000005
【図４】
2009010511.tif 000006
【図５】
2009010511.tif 000007
【図６】
2009010511.tif 000008
【図７】
2009010511.tif 000009
【図８】
2009010511.tif 000010